(57)【要約】システム情報の指示方法、装置及び通信システムを提供する。本発明の実施例は、エリア関連識別子又はシステム情報関連インデックスとシステム情報との対応関係を指示し、且つ／或いはエリア関連識別子又はシステム情報関連インデックスが変更されたことの情報を通知することで、現在のセルのシステム情報が記憶されている場合であってもＵＥが依然としてネットワーク側からシステム情報を取得することを回避することができ、ＵＥがシステム情報を取得するための消費電力を効果的に低減させることができる。【選択図】図２
2020511841.tif 000002
【特許請求の範囲】
【請求項１】
システム情報の指示装置であって、
エリア関連識別子又はシステム情報関連インデックスに対応するシステム情報ブロックをユーザ装置に指示する指示手段、を含む、装置。
【請求項２】
前記指示手段は、ＳＩＢ−Ｍａｐｐｉｎｇｉｎｆｏフィールドを介して、エリア関連識別子又はシステム情報関連インデックスに対応するシステム情報ブロックを前記ユーザ装置に指示する、請求項１に記載の装置。
【請求項３】
前記指示手段は、ネットワーク側によりブロードキャストされるメッセージ又は無線リソース制御（ＲＲＣ）メッセージにおいて各エリア関連識別子又はシステム情報関連インデックスのためにＳＩＢ−Ｍａｐｐｉｎｇｉｎｆｏフィールドを設定し、前記ＳＩＢ−Ｍａｐｐｉｎｇｉｎｆｏフィールドを介して前記エリア関連識別子又はシステム情報関連インデックスに対応する全てのシステム情報ブロックを指示する、請求項２に記載の装置。
【請求項４】
前記指示手段は、ビットマップにより、エリア関連識別子又はシステム情報関連インデックスに対応するシステム情報ブロックを前記ユーザ装置に指示する、請求項１に記載の装置。
【請求項５】
前記指示手段は、ネットワーク側によりブロードキャストされるメッセージ又はＲＲＣメッセージにおいて各エリア関連識別子又はシステム情報関連インデックスのためにビットマップフィールドを設定し、前記ビットマップフィールドを介して前記エリア関連識別子又はシステム情報関連インデックスに対応する全てのシステム情報ブロックを指示する、請求項４に記載の装置。
【請求項６】
前記指示手段は、可能なシステム情報ブロックの組み合わせのインデックスを介して、エリア関連識別子又はシステム情報関連インデックスに対応するシステム情報ブロックを前記ユーザ装置に指示する、請求項１に記載の装置。
【請求項７】
前記指示手段は、ネットワーク側によりブロードキャストされるメッセージ又はＲＲＣメッセージにおいて、エリア関連識別子又はシステム情報関連インデックスに対応するシステム情報ブロックの組み合わせのインデックス、及び前記エリア関連識別子又はシステム情報関連インデックスを共に指示する、請求項６に記載の装置。
【請求項８】
前記指示手段は、ネットワーク側によりブロードキャストされるメッセージ又はＲＲＣメッセージにおいて、前記エリア関連識別子又はシステム情報関連インデックスに対応するシステム情報ブロックの所在するシステム情報ウィンドウをスケジューリングするためのシーケンス番号を、前記ユーザ装置に指示する、請求項１に記載の装置。
【請求項９】
前記ユーザ装置により送信された、エリア関連識別子又はシステム情報関連インデックスを含むシステム情報要求メッセージを受信する受信手段、をさらに含み、
前記指示手段は、前記システム情報要求メッセージに基づいて、前記エリア関連識別子又はシステム情報関連インデックスに対応するシステム情報ブロックを前記ユーザ装置に指示する、請求項１に記載の装置。
【請求項１０】
システム情報の指示装置であって、
エリア関連識別子若しくはシステム情報関連インデックスが変更されたこと、及び／又は変更後のエリア関連識別子若しくはシステム情報関連インデックスをユーザ装置に指示する第１指示手段、を含む、装置。
【請求項１１】
前記第１指示手段は、ページングメッセージ、或いはＲＲＣメッセージ、或いはページングメッセージのスケジューリング情報において前記指示を行う、請求項１０に記載の装置。
【請求項１２】
前記第１指示手段は、変更前のエリア関連識別子又はシステム情報関連インデックス、及び変更後のエリア関連識別子又はシステム情報関連インデックスを共に指示する、請求項１０に記載の装置。
【請求項１３】
前記第１指示手段は、変更後のエリア関連識別子又はシステム情報関連インデックスのみを指示する、請求項１０に記載の装置。
【請求項１４】
前記変更後のエリア関連識別子又はシステム情報関連インデックスに対応するシステム情報ブロックを前記ユーザ装置に指示する第２指示手段、をさらに含む、請求項１０に記載の装置。
【請求項１５】
システム情報の指示装置であって、
ネットワーク装置により指示された変更後のエリア関連識別子又はシステム情報関連インデックスの情報を受信する第１受信手段と、
前記変更後のエリア関連識別子又はシステム情報関連インデックス、及び前記変更後のエリア関連識別子又はシステム情報関連インデックスに対応するシステム情報ブロックが記憶されている場合、ネットワーク側から前記システム情報ブロックを再取得せず、前記システム情報ブロックを直接適用する処理手段と、を含む、装置。
【請求項１６】
前記第１受信手段は、ネットワーク装置により指示された変更前のエリア関連識別子又はシステム情報関連インデックスの情報をさらに受信する、請求項１５に記載の装置。
【請求項１７】
エリア関連識別子又はシステム情報関連インデックスを含むシステム情報要求メッセージをネットワーク装置に送信する送信手段と、
前記ネットワーク装置により指示された前記エリア関連識別子又はシステム情報関連インデックスに対応するシステム情報ブロックを受信する第２受信手段と、をさらに含む、請求項１５に記載の装置。
【発明の詳細な説明】
【技術分野】
【０００１】
本発明は、通信技術の分野に関し、特にシステム情報の指示方法、装置及び通信システムに関する。
【背景技術】
【０００２】
第３世代パートナーシッププロジェクト（３ＧＰＰ：３ｒｄ  Ｇｅｎｅｒａｔｉｏｎ  Ｐａｒｔｎｅｒｓｈｉｐ  Ｐｒｏｊｅｃｔ）は、次世代の無線通信システムに関連するテーマを研究している。そのうち、ユーザ装置（ＵＥ：Ｕｓｅｒ  Ｅｑｕｉｐｍｅｎｔ）がネットワークのシステム情報を取得する際に消費するエネルギーを低減させ、システム情報のブロードキャスト及び配信の効率をさらに向上させることは研究テーマの１つである。
【０００３】
ロングタームエボリューション（ＬＴＥ：Ｌｏｎｇ  Ｔｅｒｍ  Ｅｖｏｌｕｔｉｏｎ）システムでは、システム情報はネットワーク側からブロードキャストチャネルを介してブロードキャストされる。ＵＥが現在のセルのシステムを取得した後に該セルを離れて一定期間後に戻る場合、ＵＥは該セルによりブロードキャストされたバリュータグ（Ｖａｌｕｅ  ｔａｇ）と記憶されているＶａｌｕｅ  ｔａｇの値とが同一であるか否かを確認し、記憶されているシステム情報が依然として有効であるか否かを検証する必要がある。また、ＵＥが現在のサービングセルを離れて新しいセルに入る場合、新しいセルから新しいシステム情報を取得する必要がある。
【０００４】
実際には、隣接するセルが同一のシステム情報を有する場合は多い。ＵＥが新しいセルに入った後に再取得されたシステム情報が元のセルにおいて取得されたシステム情報と同一である可能性はある。このような場合、ＵＥがシステム情報を取得する際に消費するエネルギーを低減させるために、複数のセルにより構成されたエリアに関連する識別子をネットワーク側によりブロードキャストし、システム情報が複数のセル間で共通であることを指示してもよい。このように、ＵＥは自分が新しいセルのシステム情報を既に記憶しているか否かを容易に知ることができるため、これらの既に記憶されている同一のシステム情報を取得する際に消費するエネルギーを回避することができる。
【０００５】
なお、背景技術に関する上記の説明は、単なる本発明の構成をより明確、完全に説明するためのものであり、当業者を理解させるために説明するものである。これらの構成が本発明の背景技術の部分に説明されているから当業者にとって周知の技術であると解釈してはならない。
【発明の概要】
【発明が解決しようとする課題】
【０００６】
３ＧＰＰは、複数のセルに共通するシステム情報を指示するために、システム情報においてインデックス（Ｉｎｄｅｘ）又は識別子（ＩＤ）をブロードキャストし、記憶されているシステム情報が依然として有効であることをＵＥに通知し、ＵＥがシステム情報を取得する回数を低減させることを既に同意した。
【０００７】
現在、インデックス又は識別子に基づくシステム情報のブロードキャストをサポートするための基本的なソリューションが２つある。
【０００８】
ソリューション１：ＵＥはまず各システム情報ブロック（ＳＩＢ：Ｓｙｓｔｅｍ  Ｉｎｆｏｒｍａｔｉｏｎ  Ｂｌｏｃｋ）の全ての可能な構成リストを取得する。各ＳＩＢはインデックス（ｉｎｄｅｘ）に対応し、該インデックスは現在のセルの特定のＳＩＢにより使用される構成を指示する。ＵＥが新しいセルに切り替えた後に、Ｖａｌｕｅ  ｔａｇの値を確認する必要がなく、現在のセルのＳＩＢのインデックスに対応する構成が記憶されているか否かを確認すればよい。ＵＥに該構成が記憶されている場合、新しいセルにおいて該ＳＩＢを取得する必要がなく、該ＳＩＢを直接適用すればよい。
【０００９】
ソリューション２：複数のセルに共通するＳＩＢはエリア識別子（Ａｒｅａ  ＩＤ）に対応し、該エリア識別子をブロードキャストするセル内で共通でることを表す。ＵＥは、新しいセルに切り替えた後に、現在のセルによりブロードキャストされたエリア識別子が記憶されているか否かを確認すればよい。ＵＥに該エリア識別子が記憶されている場合、新しいセルにおいて該ＳＩＢを取得する必要がなく、該エリア識別子に対応するＳＩＢを直接適用すればよい。
【００１０】
ソリューション２では、セルにおいてブロードキャストされたシステム情報において、ブロードキャストされたＡｒｅａ  ＩＤに対応する１つ又は複数のＳＩＢを明示的に指示し、該Ａｒｅａ  ＩＤに対応するエリア内で共通するＳＩＢをＵＥに通知する必要がある。
【００１１】
本発明の発明者の発見により、上記２つのソリューションでは、現在のセルにおけるインデックス又はエリア識別子に対応するＳＩＢの内容が変更されると、ＬＴＥシステムにおけるソリューションに従って、ネットワーク側はシステム情報が変更されたことをページングメッセージを介してＵＥに通知し、この場合、ＵＥはブロードキャストチャネルから更新後のシステム情報を取得する必要がある。しかし、実際には、ＵＥには更新後のインデックス又はエリア識別子、及びそれに対応するシステム情報が既に記憶された可能性があり、該システム情報を再度取得する必要がない。
【００１２】
上記の問題を解決するために、本発明の実施例は、更新後のシステム情報に対応するインデックス又はエリア識別子をＵＥに通知し、該システム情報が記憶されているか否かをＵＥに確認させることで、ＵＥがシステム情報を取得することにより消費するエネルギーを低減させるシステム情報の指示方法、装置及び通信システムを提供する。
【課題を解決するための手段】
【００１３】
本発明の実施例の第１態様では、システム情報の指示方法であって、ネットワーク装置がエリア関連識別子又はシステム情報関連インデックスに対応するシステム情報ブロックをユーザ装置に指示するステップ、を含む、方法を提供する。
【００１４】
本発明の実施例の第２態様では、システム情報の指示方法であって、ネットワーク装置がエリア関連識別子若しくはシステム情報関連インデックスが変更されたこと、及び／又は変更後のエリア関連識別子若しくはシステム情報関連インデックスをユーザ装置に指示するステップ、を含む、方法を提供する。
【００１５】
本発明の実施例の第３態様では、システム情報の指示方法であって、ユーザ装置がネットワーク装置により指示された変更後のエリア関連識別子又はシステム情報関連インデックスの情報を受信するステップと、前記変更後のエリア関連識別子又はシステム情報関連インデックス、及び前記変更後のエリア関連識別子又はシステム情報関連インデックスに対応するシステム情報ブロックが記憶されている場合、該ユーザ装置がネットワーク側から前記システム情報ブロックを再取得せず、前記システム情報ブロックを直接適用するステップと、を含む、方法を提供する。
【００１６】
本発明の実施例の第４態様では、システム情報の指示装置であって、エリア関連識別子又はシステム情報関連インデックスに対応するシステム情報ブロックをユーザ装置に指示する指示手段、を含む、装置を提供する。
【００１７】
本発明の実施例の第５態様では、システム情報の指示装置であって、エリア関連識別子若しくはシステム情報関連インデックスが変更されたこと、及び／又は変更後のエリア関連識別子若しくはシステム情報関連インデックスをユーザ装置に指示する第１指示手段、を含む、装置を提供する。
【００１８】
本発明の実施例の第６態様では、システム情報の指示装置であって、ネットワーク装置により指示された変更後のエリア関連識別子又はシステム情報関連インデックスの情報を受信する第１受信手段と、前記変更後のエリア関連識別子又はシステム情報関連インデックス、及び前記変更後のエリア関連識別子又はシステム情報関連インデックスに対応するシステム情報ブロックが記憶されている場合、ネットワーク側から前記システム情報ブロックを再取得せず、前記システム情報ブロックを直接適用する処理手段と、を含む、装置を提供する。
【００１９】
本発明の実施例の第７態様では、上記の第４態様又は第５態様に記載の装置を含む、ネットワーク装置を提供する。
【００２０】
本発明の実施例の第８態様では、上記の第６態様に記載の装置を含む、ユーザ装置を提供する。
【００２１】
本発明の実施例の第９態様では、上記の第７態様に記載のネットワーク装置と、上記の第８態様に記載のユーザ装置と、を含む、通信システムを提供する。
【００２２】
本発明の実施例の有益な効果としては、本発明の実施例は、エリア関連識別子又はシステム情報関連インデックスとシステム情報との対応関係を指示し、且つ／或いはエリア関連識別子又はシステム情報関連インデックスが変更されたことの情報を通知することで、現在のセルのシステム情報が記憶されている場合であってもＵＥが依然としてネットワーク側からシステム情報を取得することを回避することができ、ＵＥがシステム情報を取得するための消費電力を効果的に低減させることができる。
【００２３】
下記の説明及び図面に示すように、本発明の特定の実施形態が詳細に開示され、本発明の原理を採用できる方式が示される。なお、本発明の実施形態の範囲はこれらに限定されない。本発明の実施形態は、添付される特許請求の範囲の要旨及び項目の範囲内において、変更されたもの、修正されたもの及び均等的なものを含む。
【００２４】
１つの実施形態に記載された特徴及び／又は示された特徴は、同一又は類似の方式で１つ又はさらに多くの他の実施形態で用いられてもよいし、他の実施形態における特徴と組み合わせてもよいし、他の実施形態における特徴に代わってもよい。
【００２５】
なお、本文では、用語「包括／含む」は、特徴、部材、ステップ又は構成要件が存在することを意味し、一つ又は複数の他の特徴、部材、ステップ又は構成要件の存在又は付加を排除しない。
【図面の簡単な説明】
【００２６】
本発明の実施例の１つの図面及び１つの実施形態に記載された要素及び特徴は、１つ又はさらに多くの図面又は実施形態に示された要素及び特徴と組み合わせてもよい。また、図面において、類似の符号は複数の図面における対応する素子を示し、１つ以上の実施形態に用いられる対応素子を示してもよい。
【００２７】
含まれる図面は、本発明の実施例をさらに理解するために用いられ、明細書の一部を構成し、本発明の実施形態を例示するために用いられ、文言の記載と共に本発明の原理を説明する。なお、以下に説明される図面は、単なる本発明の一部の実施例であり、当業者にとっては、これらの図面に基づいて他の図面を容易に想到できる。
【図１】本発明の実施例の通信システムを示す図である。
【図２】本発明の実施例１のシステム情報の指示方法を示す図である。
【図３】本発明の実施例２のシステム情報の指示方法を示す図である。
【図４】本発明の実施例３のシステム情報の指示方法を示す図である。
【図５】本発明の実施例４のシステム情報の指示装置を示す図である。
【図６】本発明の実施例５のシステム情報の指示装置を示す図である。
【図７】本発明の実施例６のシステム情報の指示装置を示す図である。
【図８】本発明の実施例７のネットワーク装置の構成を示す図である。
【図９】本発明の実施例８のユーザ装置の構成を示す図である。
【図１０】本発明の実施例１０の新たなプロトコル層の位置を示す図である。
【図１１】本発明の実施例１０のデータ処理方法を示す図である。
【図１２】本発明の実施例１０のデータ処理装置を示す図である。
【発明を実施するための形態】
【００２８】
本発明の上記及び他の特徴は以下の説明により明らかになる。明細書及び図面において、本発明の特定の実施形態が詳細に開示され、本発明の原理を採用できる実施形態の一部が示される。なお、本発明は説明される実施形態に限定されない。本発明は、添付される特許請求の範囲内の全ての変更されたもの、変形されたもの及び均等的なものを含む。以下は、図面を参照しながら本発明の各実施形態を説明する。これらの実施形態は単なる例示的なものであり、本発明を制限するものではない。
【００２９】
本発明の実施例では、用語「第１」、「第２」などは、タイトルで異なる要素を区別するために用いられるが、これらの要素の空間的配列又は時間的順序などを表すものではなく、これらの要素はこれらの用語に制限されない。用語「及び／又は」は、関連するリストに列挙された用語の１つ又は複数のうち何れか１つ及び全ての組み合わせを含む。用語「含む」、「包括する」、「有する」などは、列挙された特徴、要素、素子又は構成部材の存在を意味するが、１つ又は複数の他の特徴、要素、素子又は構成部材の存在又は追加を排除するものではない。
【００３０】
本発明の実施例では、単数形の「１つ」、「該」などは複数形を含み、「１種類」又は「１類」と広義的に理解されるべきであり、「１個」に限定されない。また、用語「前記」は、文脈がそうでないことを明確に示さない限り、単数形及び複数形両方を含むと理解されるべきである。また、文脈がそうでないことを明確に示さない限り、用語「に記載の」は「少なくとも一部に記載の」と理解されるべきであり、用語「に基づいて」は「少なくとも一部に基づいて」と理解されるべきである。
【００３１】
本発明の実施例では、用語「通信ネットワーク」又は「無線通信ネットワーク」は、例えばロングタームエボリューション（ＬＴＥ：Ｌｏｎｇ  Ｔｅｒｍ  Ｅｖｏｌｕｔｉｏｎ）、進化したロングタームエボリューション（ＬＴＥ−Ａ、ＬＴＥ−Ａｄｖａｎｃｅｄ）、広帯域符号分割多元接続（ＷＣＤＭＡ(登録商標)：Ｗｉｄｅｂａｎｄ  Ｃｏｄｅ  Ｄｉｖｉｓｉｏｎ  Ｍｕｌｔｉｐｌｅ  Ａｃｃｅｓｓ）、高速パケットアクセス（ＨＳＰＡ：Ｈｉｇｈ−Ｓｐｅｅｄ  Ｐａｃｋｅｔ  Ａｃｃｅｓｓ）などの任意の通信規格に適合するネットワークを意味してもよい。
【００３２】
また、通信システムにおける装置間の通信は、任意の段階の通信プロトコルに従って行われてもよく、該通信プロトコルは、例えば１Ｇ（世代）、２Ｇ、２．５Ｇ、２．７５Ｇ、３Ｇ、４Ｇ、４．５Ｇ、及び将来の５Ｇ、新無線（ＮＲ：Ｎｅｗ  Ｒａｄｉｏ）等、及び／又は現在の既知の他の通信プロトコル若しくは将来開発される他の通信プロトコルを含んでもよいが、これらに限定されない。
【００３３】
本発明の実施例では、用語「ネットワーク装置」は、例えば通信システムに端末装置をアクセスさせて該端末装置にサービスを提供する通信システム内の装置を意味する。ネットワーク装置は、基地局（ＢＳ：Ｂａｓｅ  Ｓｔａｔｉｏｎ）、アクセスポイント（ＡＰ：Ａｃｃｅｓｓ  Ｐｏｉｎｔ）、送受信ポイント（ＴＲＰ：Ｔｒａｎｓｍｉｓｓｉｏｎ  Ｒｅｃｅｐｔｉｏｎ  Ｐｏｉｎｔ）、ブロードキャスト送信機、モビリティ管理エンティティ（ＭＭＥ：Ｍｏｂｉｌｅ  Ｍａｎａｇｅｍｅｎｔ  Ｅｎｔｉｔｙ）、ゲートウェイ、サーバ、無線ネットワークコントローラ（ＲＮＣ：Ｒａｄｉｏ  Ｎｅｔｗｏｒｋ  Ｃｏｎｔｒｏｌｌｅｒ）、基地局コントローラ（ＢＳＣ：Ｂａｓｅ  Ｓｔａｔｉｏｎ  Ｃｏｎｔｒｏｌｌｅｒ）などを含んでもよいが、これらに限定されない。
【００３４】
そのうち、基地局は、ノードＢ（ＮｏｄｅＢ又はＮＢ）、進化ノードＢ（ｅＮｏｄｅＢ又はｅＮＢ）、及び５Ｇ基地局（ｇＮＢ）など、並びにリモート無線ヘッド（ＲＲＨ：Ｒｅｍｏｔｅ  Ｒａｄｉｏ  Ｈｅａｄ）、リモート無線ユニット（ＲＲＵ：Ｒｅｍｏｔｅ  Ｒａｄｉｏ  Ｕｎｉｔ）、中継装置（ｒｅｌａｙ）又は低電力ノード（例えばｆｅｍｔｏ、ｐｉｃｏなど）を含んでもよいが、これらに限定されない。また、用語「基地局」はそれらの機能の一部又は全てを含んでもよく、各基地局は特定の地理的エリアに対して通信カバレッジを提供してもよい。用語「セル」は、該用語が使用されるコンテキストに応じて、基地局及び／又はそのカバレッジエリアを意味してもよい。
【００３５】
本発明の実施例では、用語「ユーザ装置」（ＵＥ：Ｕｓｅｒ  Ｅｑｕｉｐｍｅｎｔ）又は用語「端末装置」（ＴＥ：Ｔｅｒｍｉｎａｌ  Ｅｑｕｉｐｍｅｎｔ）は、例えばネットワーク装置を介して通信ネットワークにアクセスし、ネットワークサービスを受ける装置を意味する。ユーザ装置は、固定的なもの又は移動的なものであってもよく、移動局（ＭＳ：Ｍｏｂｉｌｅ  Ｓｔａｔｉｏｎ）、端末、加入者ステーション（ＳＳ：Ｓｕｂｓｃｒｉｂｅｒ  Ｓｔａｔｉｏｎ）、アクセス端末（ＡＴ：Ａｃｃｅｓｓ  Ｔｅｒｍｉｎａｌ）、ステーションなどと称されてもよい。
【００３６】
そのうち、ユーザ装置は、携帯電話（Ｃｅｌｌｕｌａｒ  Ｐｈｏｎｅ）、パーソナルデジタルアシスタント（ＰＤＡ：Ｐｅｒｓｏｎａｌ  Ｄｉｇｉｔａｌ  Ａｓｓｉｓｔａｎｔ）、無線変復調装置、無線通信装置、ハンドヘルドデバイス、マシンタイプ通信装置、ラップトップコンピュータ、コードレス電話、スマートフォン、スマートウォッチ、デジタルカメラなどを含んでもよいが、これらに限定されない。
【００３７】
例えば、モノのインターネット（ＩｏＴ：Ｉｎｔｅｒｎｅｔ  ｏｆ  Ｔｈｉｎｇｓ）などのシナリオでは、ユーザ装置は、監視又は測定を行う機器又は装置であってもよく、例えばマシンタイプ通信（ＭＴＣ：Ｍａｃｈｉｎｅ  Ｔｙｐｅ  Ｃｏｍｍｕｎｉｃａｔｉｏｎ）端末、車載通信端末、デバイスツーデバイス（Ｄ２Ｄ：Ｄｅｖｉｃｅ  ｔｏ  Ｄｅｖｉｃｅ）端末、マシンツーマシン（Ｍ２Ｍ：Ｍａｃｈｉｎｅ  ｔｏ  Ｍａｃｈｉｎｅ）端末などを含んでもよいが、これらに限定されない。
【００３８】
以下は本発明の実施例のシナリオを例示的に説明するが、本発明はこれに限定されない。
【００３９】
図１は本発明の実施例の通信システムを示す図であり、ユーザ装置及びネットワーク装置の例を例示的に説明する。図１に示すように、通信システム１００は、ネットワーク装置１０１及びユーザ装置１０２（説明の便宜上、図１は１つのユーザ装置のみの例を説明する）を含んでもよい。
【００４０】
本発明の実施例では、ネットワーク装置１０１とユーザ装置１０２との間で、既存のトラフィック又は将来実装可能なトラフィックを行ってもよい。例えば、これらのトラフィックは、拡張された移動ブロードバンド（ｅＭＢＢ：ｅｎｈａｎｃｅｄ  Ｍｏｂｉｌｅ  Ｂｒｏａｄｂａｎｄ）、大規模マシンタイプ通信（ｍＭＴＣ：ｍａｓｓｉｖｅ  Ｍａｃｈｉｎｅ  Ｔｙｐｅ  Ｃｏｍｍｕｎｉｃａｔｉｏｎ）、高信頼性低遅延通信（ＵＲＬＬＣ：Ｕｌｔｒａ−Ｒｅｌｉａｂｌｅ  ａｎｄ  Ｌｏｗ−Ｌａｔｅｎｃｙ  Ｃｏｍｍｕｎｉｃａｔｉｏｎ）などを含むが、これらに限定されない。
【００４１】
ユーザ装置１０２は、例えばグラントフリー（Ｇｒａｎｔ−Ｆｒｅｅ）の伝送方式を用いてネットワーク装置１０１にデータを送信してもよい。ネットワーク装置１０１は、１つ又は複数のユーザ装置１０２により送信されたデータを受信し、情報（例えば肯定応答（ＡＣＫ）／非肯定応答（ＮＡＣＫ）情報）をユーザ装置１０２にフィードバックしてもよく、ユーザ装置１０２は、フィードバック情報に基づいて伝送プロセスの終了を確認してもよいし、新しいデータ伝送又はデータ再送を行ってもよい。
【００４２】
以下は図面を参照しながら本発明の実施例を説明する。
【００４３】
＜実施例１＞
本実施例はシステム情報の指示方法を提供し、該方法はネットワーク側に適用され、例えばネットワーク装置に適用されてもよい。図２は該方法を示す図であり、図２に示すように、該方法は以下のステップを含む。
【００４４】
ステップ２０１：ネットワーク装置はエリア関連識別子又はシステム情報関連インデックスに対応するシステム情報ブロック（ＳＩＢ）をユーザ装置（ＵＥ）に指示する。
【００４５】
本実施例では、ＵＥには現在のセルにより指示されたエリア関連識別子又はシステム情報関連インデックスが記憶されている場合、ＵＥはそれに対応するシステム情報を再度取得する必要がなく、現在記憶されているシステム情報が有効であると判断し、該システム情報を直接適用してもよい。これによって、現在のセルのシステム情報が記憶されている場合であってもＵＥが依然としてネットワーク側からシステム情報を取得することを回避することができ、ＵＥがシステム情報を取得するための消費電力を効果的に低減させることができる。
【００４６】
本実施例では、エリア関連識別子又はシステム情報関連インデックスは、一般的に、現在のセルによりブロードキャストされる１つ又は複数のシステム情報を指示するための構成に対応する全ての識別子を意味する。説明の便宜上、それらをエリア関連識別子又はシステム情報関連インデックスと総称するが、本実施例はその名前に限定されない。
【００４７】
本実施例の１つの態様では、該ネットワーク装置は、ＳＩＢ−Ｍａｐｐｉｎｇｉｎｆｏフィールドを介して、エリア関連識別子又はシステム情報関連インデックスに対応するシステム情報ブロックをＵＥに指示してもよい。
【００４８】
例えば、該ネットワーク装置は、ネットワーク側によりブロードキャストされるメッセージ又は無線リソース制御（ＲＲＣ：Ｒａｄｉｏ  Ｒｅｓｏｕｒｃｅ  Ｃｏｎｔｒｏｌ）メッセージにおいて各エリア関連識別子又はシステム情報関連インデックスのためにＳＩＢ−Ｍａｐｐｉｎｇｉｎｆｏフィールドを設定し、該ＳＩＢ−Ｍａｐｐｉｎｇｉｎｆｏフィールドを介して該エリア関連識別子又はシステム情報関連インデックスに対応する全てのシステム情報ブロックを指示（列挙）してもよい。
【００４９】
この態様では、ネットワーク装置は、ネットワーク側によりブロードキャストされるメッセージ又はＲＲＣメッセージにＡｒｅａＩＤＩｎｆｏフィールドを追加してもよく、該ＡｒｅａＩＤＩｎｆｏフィールドにはエリア関連識別子若しくはシステム情報関連インデックス、エリア関連識別子若しくはシステム情報関連インデックスに対応するＶａｌｕｅ  ｔａｇ値、及び上記のＳＩＢ−Ｍａｐｐｉｎｇｉｎｆｏが含まれ、複数のＡｒｅａＩＤＩｎｆｏは１つのリストＡｒｅａＩＤＬｉｓｔを構成する。例えば、該ＡｒｅａＩＤＬｉｓｔのフォーマットは次の通りであってもよい。
【００５０】
AreaIDList
:: = SEQUENCE（SIZE（1..maxAreaID））OF AreaIDInfo
AreaIDInfo
:: = SEQUENCE {
AreaID 
INTEGER（1..N）
SystemInfoValueTagArea 
INTEGER（1..M）
SIB-MappingInfo 
SIB-MappingInfo }
この態様では、上記ＡｒｅａＩＤＩｎｆｏフィールドの名前、ＡｒｅａＩＤＬｉｓｔのフォーマットは単なる一例であり、本実施例はこれに限定されない。例えば、ＳｙｓｔｅｍＩｎｆｏＶａｌｕｅＴａｇＡｒｅａフィールドはオプションであってもよく、該フィールドが含まれている場合、システム情報が変更されたか否かを指示するために用いられてもよい。
【００５１】
これによって、ネットワーク装置は、ＳＩＢ−ＭａｐＩｎｆｏフィールドを介して、エリア関連識別子又はシステム情報関連インデックスとシステム情報との対応関係をＵＥに通知することができる。
【００５２】
本実施例の１つの態様では、該ネットワーク装置は、ビットマップにより、エリア関連識別子又はシステム情報関連インデックスに対応するシステム情報ブロックをＵＥに指示してもよい。
【００５３】
例えば、該ネットワーク装置は、ネットワーク側によりブロードキャストされるメッセージ又はＲＲＣメッセージにおいて各エリア関連識別子又はシステム情報関連インデックスのためにビットマップ（ｂｉｔｍａｐ）フィールドを設定し、該ビットマップフィールドを介して該エリア関連識別子又はシステム情報関連インデックスに対応する全てのシステム情報ブロックを指示してもよい。
【００５４】
例えば、現在のシステムが２０個のＳＩＢをサポートしている場合、ネットワーク装置は、エリア関連識別子又はシステム情報関連インデックスのために２０ビットのｂｉｔｍａｐフィールドを設定してもよく、各ビットはそれぞれ１つのＳＩＢに対応する。ビットが「１」に設定される場合、それに対応するＳＩＢは該エリア関連識別子又はシステム情報関連インデックスに関連付けられ（対応する）、そうでない場合、該ＳＩＢは該エリア関連識別子又はシステム情報関連インデックスに関連付けられない（対応しない）。
【００５５】
これによって、ネットワーク装置は、該ｂｉｔｍａｐフィールドを介して、該エリア関連識別子又はシステム情報関連インデックスとシステム情報との対応関係をＵＥに通知することができる。
【００５６】
本実施例の１つの態様では、該ネットワーク装置は、可能なシステム情報ブロックの組み合わせのインデックスを介して、エリア関連識別子又はシステム情報関連インデックスに対応するシステム情報ブロックをＵＥに指示してもよい。
【００５７】
この態様では、ネットワーク装置は、可能なＳＩＢの組み合わせの方式を事前に定義してもよい。ここで、可能なＳＩＢの組み合わせの方式は、例えば全てのＳＩＢの組み合わせの方式、或いは所定のポリシーに従って決定されたＳＩＢの組み合わせの方式、或いは所定のポリシーに従って全ての可能なＳＩＢの組み合わせの方式から選択された所定数のＳＩＢの組み合わせの方式である。該可能なＳＩＢの組み合わせの方式は、プロトコルで事前に定義されてもよく、本実施例はこれに限定されない。また、各可能なＳＩＢの組み合わせの方式について、ネットワーク装置は該方式のためにインデックスを割り当ててもよい。これによって、ネットワーク装置は、ネットワーク側によりブロードキャストされるメッセージ又はＲＲＣメッセージにおいて、エリア関連識別子又はシステム情報関連インデックスに対応するシステム情報ブロックの組み合わせのインデックス、及び該エリア関連識別子又はシステム情報関連インデックスを共に指示してもよい。
【００５８】
これによって、ネットワーク装置は、エリア関連識別子又はシステム情報関連インデックスとシステム情報との対応関係をＵＥに通知することができる。
【００５９】
本実施例の１つの態様では、ネットワーク装置は、システム情報ウィンドウ内の全てのＳＩＢを指示することで、エリア関連識別子又はシステム情報関連インデックスに対応するシステム情報ブロックをＵＥに指示してもよい。
【００６０】
この態様では、ネットワーク装置は、ネットワーク側によりブロードキャストされるメッセージ又はＲＲＣメッセージにおいて、該エリア関連識別子又はシステム情報関連インデックスに対応するシステム情報ブロックの所在するシステム情報ウィンドウをスケジューリングするためのシーケンス番号を、ＵＥに指示してもよい。
【００６１】
この態様では、エリア関連識別子又はシステム情報関連インデックスに対応するシステム情報ブロックは、同一のシステム情報ウィンドウにおいてスケジューリングされる場合があり、複数のシステム情報ウィンドウにおいてスケジューリングされる場合もある。この態様では、システム情報ウィンドウ内の全てのＳＩＢを指示することで、該エリア関連識別子又はシステム情報関連インデックスとＳＩＢの対応関係をＵＥに暗黙的に指示することができる。
【００６２】
本実施例の１つの態様では、ＵＥは、ネットワーク側にエリア関連識別子又はシステム情報関連インデックスに対応するシステム情報ブロックを要求してもよい。
【００６３】
この態様では、ＵＥにエリア関連識別子又はシステム情報関連インデックスに対応するＳＩＢが記憶されてない場合、該ＵＥは、システム情報要求メッセージを介して、ネットワーク側に該エリア関連識別子又はシステム情報関連インデックスに対応するＳＩＢを要求し、該要求メッセージにおいて該エリア関連識別子又はシステム情報関連インデックスをキャリーしてもよい。
【００６４】
この態様では、ネットワーク装置は、該ユーザ装置により送信された該システム情報要求メッセージを受信し、該システム情報要求メッセージに基づいて該エリア関連識別子又はシステム情報関連インデックスに対応するシステム情報ブロックを該ユーザ装置に指示してもよい。具体的な指示方法は上述したものであり、ここでその説明を省略する。
【００６５】
本実施例の方法によれば、ネットワーク装置はエリア関連識別子又はシステム情報関連インデックスとシステム情報との対応関係をＵＥに指示することで、現在のセルのシステム情報が記憶されている場合であってもＵＥが依然としてネットワーク側からシステム情報を取得することを回避することができ、ＵＥがシステム情報を取得するための消費電力を効果的に低減させることができる。
【００６６】
＜実施例２＞
本実施例はシステム情報の指示方法を提供し、該方法はネットワーク側に適用され、例えばネットワーク装置に適用されてもよい。図３は該方法を示す図であり、図３に示すように、該方法は以下のステップを含む。
【００６７】
ステップ３０１：ネットワーク装置は、エリア関連識別子若しくはシステム情報関連インデックスが変更されたこと、及び／又は変更後のエリア関連識別子若しくはシステム情報関連インデックスをユーザ装置に指示する。
【００６８】
本実施例では、ＵＥがネットワーク装置の指示に従ってＵＥに変更後のエリア関連識別子又はシステム情報関連インデックス及びそれに対応するＳＩＢが記憶されている場合、ＵＥはネットワーク側から該エリア関連識別子又はシステム情報関連インデックスに対応するシステム情報を再度取得することなく、該ＳＩＢを直接適用してもよい。これによって、ＵＥがシステム情報を取得するための消費電力を低減させることができる。
【００６９】
本実施例では、該エリア関連識別子又はシステム情報関連インデックスの解釈は実施例１と同様であり、ここでその説明を省略する。
【００７０】
本実施例では、該エリア関連識別子又はシステム情報関連インデックスとＳＩＢとの対応関係は実施例１の方法により指示されてもよいが、本実施例はこれに限定されない。
【００７１】
本実施例では、該ネットワーク装置は、ページングメッセージにおいて該指示を行ってもよいし、ＲＲＣメッセージにおいて該指示を行ってもよいし、ページングメッセージのスケジューリング情報において該指示を行ってもよく、例えば物理ダウンリンク制御チャネル（ＰＤＣＣＨ：Ｐｈｙｓｉｃａｌ  Ｄｏｗｎｌｉｎｋ  Ｃｏｎｔｒｏｌ  Ｃｈａｎｎｅｌ）のダウンリンク制御情報（ＤＣＩ：Ｄｏｗｎｌｉｎｋ  Ｃｏｎｔｒｏｌ  Ｉｎｆｏｒｍａｔｉｏｎ）において該指示を行ってもよいが、本実施例はこれに限定されない。
【００７２】
本実施例の１つの態様では、ネットワーク装置は、変更前及び変更後のエリア関連識別子又はシステム情報関連インデックスを指示してもよい。
【００７３】
例えば、変更前及び変更後のエリア関連識別子又はシステム情報関連インデックスをそれぞれ示すために、ページングメッセージ又はＲＲＣメッセージにおいて、ペアとなるエリア関連識別子又はシステム情報関連インデックスをキャリーする。
【００７４】
例えば、｛Ｉｎｄｅｘ＃１：Ｉｎｄｅｘ＃２；Ｉｎｄｅｘ＃３：Ｉｎｄｅｘ＃５；｝により、エリア関連識別子又はシステム情報関連インデックスが＃１から＃２に変更され、＃３から＃５に変更されたことを示してもよい。
【００７５】
本実施例のもう１つの態様では、ネットワーク装置は、変更後（ｎｅｗ／ｕｐｄａｔｅｄ）のエリア関連識別子又はシステム情報関連インデックスのみを指示してもよい。
【００７６】
例えば、ページングメッセージ又はＲＲＣメッセージにおいて、変更後のエリア関連識別子又はシステム情報関連インデックスのみをキャリーする。
【００７７】
例えば、｛Ｉｎｄｅｘ＃２；Ｉｎｄｅｘ＃５；｝により、エリア関連識別子又はシステム情報関連インデックスが＃２及び＃５に変更されたことを示してもよい。
【００７８】
本実施例では、上述したように、該ネットワーク装置は、変更後のエリア関連識別子又はシステム情報関連インデックスに対応するシステム情報ブロックをＵＥにさらに指示してもよい。ここのシステム情報ブロックは、新しいもの、即ち変更後のエリア関連識別子又はシステム情報関連インデックスに対応するシステム情報ブロックである。具体的な指示方法は実施例１を参考してもよく、その内容はここで援用され、ここでその説明を省略する。
【００７９】
本実施例の方法によれば、ネットワーク装置はエリア関連識別子又はシステム情報関連インデックスが変更されたことの情報をＵＥ通知することで、現在のセルのシステム情報が記憶されている場合であってもＵＥが依然としてネットワーク側からシステム情報を取得することを回避することができ、ＵＥがシステム情報を取得するための消費電力を効果的に低減させることができる。
【００８０】
＜実施例３＞
本実施例はシステム情報の指示方法を提供し、該方法はユーザ側に適用され、例えばユーザ装置に適用されてもよい。該方法は実施例１及び実施例２の方法のユーザ側の処理に対応し、実施例１及び実施例２と同様な内容について説明を省略する。図４は該方法を示す図であり、図４に示すように、該方法は以下のステップを含む。
【００８１】
ステップ４０１：ユーザ装置はネットワーク装置により指示された変更後のエリア関連識別子又はシステム情報関連インデックスの情報を受信する。
【００８２】
ステップ４０２：該ユーザ装置は、該変更後のエリア関連識別子又はシステム情報関連インデックス、及び該変更後のエリア関連識別子又はシステム情報関連インデックスに対応するシステム情報ブロックが記憶されている場合、ネットワーク側から該システム情報ブロックを再取得せず、該システム情報ブロックを直接適用する。
【００８３】
本実施例では、ネットワーク装置が変更後のエリア関連識別子又はシステム情報関連インデックスをＵＥに通知することで、該変更後のエリア関連識別子又はシステム情報関連インデックス及びそれに対応するシステム情報ブロックが記憶されている場合、ＵＥは該システム情報を再度取得する必要がなく、システム情報を取得するための消費電力を低減させることができる。
【００８４】
本実施例では、実施例２で説明したように、ネットワーク装置はページングメッセージ、ＲＲＣメッセージ又はページングメッセージのスケジューリング情報を介して変更後のエリア関連識別子又はシステム情報関連インデックスをＵＥに通知してもよいため、ステップ４０１において、ユーザ装置は、上記のページングメッセージ、ＲＲＣメッセージ又はページングメッセージのスケジューリング情報を介して変更後のエリア関連識別子又はシステム情報関連インデックスを取得してもよい。
【００８５】
本実施例では、実施例２で説明したように、ネットワーク装置は変更後のエリア関連識別子又はシステム情報関連インデックスのみを指示してもよいし、変更前及び変更後のエリア関連識別子又はシステム情報関連インデックスを共に指示してもよいため、ＵＥは、ネットワーク装置の指示に応じて、受信された該情報に基づいてステップ４０２の判断を行う。
【００８６】
本実施例では、ＵＥに該変更後のエリア関連識別子又はシステム情報関連インデックスに対応するシステム情報ブロックが記憶されていない場合、該ＵＥはネットワーク装置にシステム情報要求メッセージを送信し、実施例２で説明したように、該ネットワーク装置から該ネットワーク装置により指示された変更後のエリア関連識別子又はシステム情報関連インデックスに対応するシステム情報ブロックを取得してもよい。
【００８７】
本実施例では、該ＵＥがネットワーク装置に該システム情報要求メッセージを送信することは、該変更後のエリア関連識別子又はシステム情報関連インデックスに対応するシステム情報ブロックが記憶されていない場合に限定されなく、即ち、他の実施例では、ＵＥは、自身のニーズに応じて、ネットワーク装置に該システム情報要求メッセージを送信し、エリア関連識別子又はシステム情報関連インデックスに対応するシステム情報ブロックを取得してもよい。
【００８８】
本実施例では、該ネットワーク装置による該エリア関連識別子又はシステム情報関連インデックスに対応するシステム情報ブロックの指示方法は実施例１と同様であり、ここでその説明を省略する。
【００８９】
本実施例の方法によれば、ネットワーク装置はエリア関連識別子又はシステム情報関連インデックスが変更されたことの情報をＵＥ通知することで、現在のセルのシステム情報が記憶されている場合であってもＵＥが依然としてネットワーク側からシステム情報を取得することを回避することができ、ＵＥがシステム情報を取得するための消費電力を効果的に低減させることができる。
【００９０】
＜実施例４＞
本発明の実施例はシステム情報の指示装置を提供し、該装置はネットワーク装置に配置されてもよい。該装置の問題解決の原理は実施例１の方法と類似するため、その具体的な実施は実施例１の方法の実施を参考してもよく、同様な内容について説明を省略する。
【００９１】
図５は本実施例の装置を示す図であり、図５に示すように、該装置５００は指示部５０１を含む。
【００９２】
指示部５０１は、エリア関連識別子又はシステム情報関連インデックスに対応するシステム情報ブロックをユーザ装置に指示する。
【００９３】
本実施例の１つの態様では、該指示部５０１は、ＳＩＢ−Ｍａｐｐｉｎｇｉｎｆｏフィールドを介して、エリア関連識別子又はシステム情報関連インデックスに対応するシステム情報ブロックをユーザ装置に指示してもよい。
【００９４】
この態様では、該指示部５０１は、ネットワーク側によりブロードキャストされるメッセージ又は無線リソース制御（ＲＲＣ）メッセージにおいて各エリア関連識別子又はシステム情報関連インデックスのためにＳＩＢ−Ｍａｐｐｉｎｇｉｎｆｏフィールドを設定し、該ＳＩＢ−Ｍａｐｐｉｎｇｉｎｆｏフィールドを介して該エリア関連識別子又はシステム情報関連インデックスに対応する全てのシステム情報ブロックを指示してもよい。
【００９５】
本実施例の１つの態様では、該指示部５０１は、エリア関連識別子又はシステム情報関連インデックスに対応するシステム情報ブロックをユーザ装置に指示してもよい。
【００９６】
この態様では、該指示部５０１は、ネットワーク側によりブロードキャストされるメッセージ又はＲＲＣメッセージにおいて各エリア関連識別子又はシステム情報関連インデックスのためにビットマップフィールドを設定し、該ビットマップフィールドを介して該エリア関連識別子又はシステム情報関連インデックスに対応する全てのシステム情報ブロックを指示してもよい。
【００９７】
本実施例の１つの態様では、該指示部５０１は、可能なシステム情報ブロックの組み合わせのインデックスを介して、エリア関連識別子又はシステム情報関連インデックスに対応するシステム情報ブロックをユーザ装置に指示してもよい。
【００９８】
この態様では、ネットワーク装置は、可能なシステム情報ブロックの組み合わせを定義し、各可能なシステム情報ブロックの組み合わせにインデックスを割り当ててもよく、該指示部５０１は、ネットワーク側によりブロードキャストされるメッセージ又はＲＲＣメッセージにおいて、エリア関連識別子又はシステム情報関連インデックスに対応するシステム情報ブロックの組み合わせのインデックス、及び該エリア関連識別子又はシステム情報関連インデックスを共に指示してもよい。
【００９９】
本実施例の１つの態様では、ネットワーク装置は、システム情報ウィンドウ内の全てのＳＩＢを指示することで、エリア関連識別子又はシステム情報関連インデックスに対応するシステム情報ブロックを指示してもよい。
【０１００】
この態様では、該指示部５０１は、ネットワーク側によりブロードキャストされるメッセージ又はＲＲＣメッセージにおいて、該エリア関連識別子又はシステム情報関連インデックスに対応するシステム情報ブロックの所在するシステム情報ウィンドウをスケジューリングするためのシーケンス番号をユーザ装置に指示してもよい。
【０１０１】
本実施例の１つの態様では、ＵＥはネットワーク側にエリア関連識別子又はシステム情報関連インデックスに対応するＳＩＢを要求するため、この態様では、図５に示すように、該装置５００は受信部５０２をさらに含んでもよい。受信部５０２は、ユーザ装置により送信された、エリア関連識別子又はシステム情報関連インデックスを含むシステム情報要求メッセージを受信する。これによって、指示部５０１は、該システム情報要求メッセージに基づいて、該エリア関連識別子又はシステム情報関連インデックスに対応するシステム情報ブロックをユーザ装置に指示してもよい。
【０１０２】
本実施例の装置によれば、ネットワーク装置はエリア関連識別子又はシステム情報関連インデックスとシステム情報との対応関係をＵＥに指示することで、現在のセルのシステム情報が記憶されている場合であってもＵＥが依然としてネットワーク側からシステム情報を取得することを回避することができ、ＵＥがシステム情報を取得するための消費電力を効果的に低減させることができる。
【０１０３】
＜実施例５＞
本発明の実施例はシステム情報の指示装置を提供し、該装置はネットワーク装置に配置されてもよい。該装置の問題解決の原理は実施例２の方法と類似するため、その具体的な実施は実施例２の方法の実施を参考してもよく、同様な内容について説明を省略する。
【０１０４】
図６は本実施例の装置を示す図であり、図６に示すように、該装置６００は第１指示部６０１を含む。
【０１０５】
第１指示部６０１は、エリア関連識別子若しくはシステム情報関連インデックスが変更されたこと、及び／又は変更後のエリア関連識別子若しくはシステム情報関連インデックスをユーザ装置に指示する。
【０１０６】
本実施例では、該第１指示部６０１は、ページングメッセージ、或いはＲＲＣメッセージ、或いはページングメッセージのスケジューリング情報において該指示を行ってもよいが、本実施例はこれに限定されない。
【０１０７】
本実施例では、該第１指示部６０１は、変更前のエリア関連識別子又はシステム情報関連インデックス、及び変更後のエリア関連識別子又はシステム情報関連インデックスを共に指示してもよいし、変更後のエリア関連識別子又はシステム情報関連インデックスのみを指示してもよい。
【０１０８】
本実施例では、図６に示すように、該装置６００は第２指示部６０２をさらに含んでもよい。
【０１０９】
該第２指示部６０２は、該エリア関連識別子又はシステム情報関連インデックスに対応するシステム情報ブロックをユーザ装置に指示する。
【０１１０】
本実施例では、該第２指示部６０２は実施例４の装置により実現されてもよく、その内容がここで援用され、ここでその説明を省略する。
【０１１１】
本実施例の装置によれば、ネットワーク装置はエリア関連識別子又はシステム情報関連インデックスが変更されたことの情報をＵＥ通知することで、現在のセルのシステム情報が記憶されている場合であってもＵＥが依然としてネットワーク側からシステム情報を取得することを回避することができ、ＵＥがシステム情報を取得するための消費電力を効果的に低減させることができる。
【０１１２】
＜実施例６＞
本発明の実施例はシステム情報の指示装置を提供し、該装置はユーザ装置に配置されてもよい。該装置の問題解決の原理は実施例３の方法と類似するため、その具体的な実施は実施例３の方法の実施を参考してもよく、同様な内容について説明を省略する。
【０１１３】
図７は本実施例の装置を示す図であり、図７に示すように、該装置７００は、第１受信部７０１及び処理部７０２を含む。第１受信部７０１は、ネットワーク装置により指示された変更後のエリア関連識別子又はシステム情報関連インデックスの情報を受信する。処理部７０２は、該変更後のエリア関連識別子又はシステム情報関連インデックス、及び該変更後のエリア関連識別子又はシステム情報関連インデックスに対応するシステム情報ブロックが記憶されている場合、ネットワーク側から該システム情報ブロックを再取得せず、該システム情報ブロックを直接適用する。
【０１１４】
本実施例では、ネットワーク装置は、ページングメッセージ、ＲＲＣメッセージ又はページングメッセージのスケジューリング情報を介して変更後のエリア関連識別子又はシステム情報関連インデックスを指示してもよく、具体的な指示方法は実施例２又は実施例５を参考し、ここでその説明を省略する。
【０１１５】
本実施例では、ネットワーク装置は、変更後のエリア関連識別子又はシステム情報関連インデックスのみを指示してもよいし、変更前のエリア関連識別子又はシステム情報関連インデックス及び変更後のエリア関連識別子又はシステム情報関連インデックスを同時に指示してもよく、詳細は実施例２又は実施例５を参考し、ここでその説明を省略する。本実施例では、第１受信部７０１は、ネットワーク装置により指示された変更前のエリア関連識別子又はシステム情報関連インデックスの情報を同時に受信してもよい。
【０１１６】
本実施例では、図７に示すように、該装置７００は、送信部７０３及び第２受信部７０４をさらに含んでもよい。送信部７０３は、エリア関連識別子又はシステム情報関連インデックスを含むシステム情報要求メッセージをネットワーク装置に送信する。第２受信部７０４は、該ネットワーク装置により指示された該エリア関連識別子又はシステム情報関連インデックスに対応するシステム情報ブロックを受信する。
【０１１７】
本実施例では、ネットワーク装置は、ネットワーク側によりブロードキャストされるメッセージ又はＲＲＣメッセージを介して該エリア関連識別子又はシステム情報関連インデックスに対応するシステム情報ブロックを指示してもよく、具体的な指示方法は実施例１又は実施例４を参考し、ここでその説明を省略する。
【０１１８】
本実施例の装置によれば、ネットワーク装置はエリア関連識別子又はシステム情報関連インデックスが変更されたことの情報をＵＥ通知することで、現在のセルのシステム情報が記憶されている場合であってもＵＥが依然としてネットワーク側からシステム情報を取得することを回避することができ、ＵＥがシステム情報を取得するための消費電力を効果的に低減させることができる。
【０１１９】
＜実施例７＞
本実施例はネットワーク装置を提供し、該ネットワーク装置は実施例４又は実施例５に記載のシステム情報の指示装置を含む。
【０１２０】
図８は本実施例のネットワーク装置の構成を示す図である。図８に示すように、ネットワーク装置８００は、プロセッサ８０１（ｐｒｏｃｅｓｓｏｒ）８０１及びメモリ８０２を含んでもよく、メモリ８０２はプロセッサ８０１に接続される。メモリ８０２は、各種のデータを記憶してもよいし、情報処理のプログラムをさらに記憶し、プロセッサ８０１の制御で該プログラムを実行し、ユーザ装置により送信された各情報を受信し、ユーザ装置に要求情報を送信してもよい。
【０１２１】
１つの態様では、実施例４又は実施例５に記載のシステム情報の指示装置の機能はプロセッサ８０１に統合されてもよい。ここで、プロセッサ８０１は、エリア関連識別子又はシステム情報関連インデックスに対応するシステム情報ブロックをユーザ装置に指示するように構成されてもよい。また、プロセッサ８０１は、エリア関連識別子若しくはシステム情報関連インデックスが変更されたこと、及び／又は変更後のエリア関連識別子若しくはシステム情報関連インデックスをユーザ装置に指示するように構成されてもよい。
【０１２２】
もう１つの態様では、実施例４又は実施例５に記載のシステム情報の指示装置はプロセッサ８０１とそれぞれ配置されてもよく、例えば実施例４又は実施例５に記載のシステム情報の指示装置はプロセッサ８０１に接続されたチップであり、プロセッサ８０１の制御により実施例４又は実施例５に記載のシステム情報の指示装置の機能を実現してもよい。
【０１２３】
また、図８に示すように、ネットワーク装置８００は、送受信機８０３及びアンテナ８０４等をさらに含んでもよい。上記部材の機能は従来技術と類似し、ここでその説明を省略する。なお、ネットワーク装置８００は図８に示す全てのユニットを含む必要がない。また、ネットワーク装置８００は、図８に示されていないユニットをさらに含んでもよく、従来技術を参照してもよい。
【０１２４】
本実施例のネットワーク装置は、エリア関連識別子又はシステム情報関連インデックスとシステム情報との対応関係をＵＥに指示し、且つ／或いはエリア関連識別子又はシステム情報関連インデックスが変更されたことの情報をＵＥに通知することで、現在のセルのシステム情報が記憶されている場合であってもＵＥが依然としてネットワーク側からシステム情報を取得することを回避することができ、ＵＥがシステム情報を取得するための消費電力を効果的に低減させることができる。
【０１２５】
＜実施例８＞
本実施例はユーザ装置を提供し、該ユーザ装置は実施例６に記載のシステム情報の指示装置を含む。
【０１２６】
図９は本実施例のユーザ装置９００の構成を示す図である。図９に示すように、ユーザ装置９００は、プロセッサ９０１及びメモリ９０２を含んでもよく、メモリ９０２はプロセッサ９０１に接続される。なお、該図は単なる例示的なものであり、電気通信機能又は他の機能を実現するように、他の種類の構成を用いて、該構成を補充又は代替してもよい。
【０１２７】
１つの態様では、システム情報の指示装置の機能はプロセッサ９０１に統合されてもよい。ここで。プロセッサ９０１は、ネットワーク装置により指示された変更後のエリア関連識別子又はシステム情報関連インデックスの情報を受信し、該変更後のエリア関連識別子又はシステム情報関連インデックス、及び該変更後のエリア関連識別子又はシステム情報関連インデックスに対応するシステム情報ブロックが記憶されている場合、ネットワーク側から該システム情報ブロックを再取得せず、該システム情報ブロックを直接適用するように構成されてもよい。
【０１２８】
もう１つの態様では、システム情報の指示装置はプロセッサ９０１とそれぞれ配置されてもよく、例えばシステム情報の指示装置はプロセッサ９０１に接続されたチップであり、プロセッサ９０１の制御によりシステム情報の指示装置の機能を実現してもよい。
【０１２９】
図９に示すように、ユーザ装置９００は、通信モジュール９０３、入力部９０４、ディスプレイ９０５、及び電源９０６をさらに含んでもよい。なお、ユーザ装置９００は図９に示す全てのユニットを含む必要がない。また、ユーザ装置９００は、図９に示されていないユニットをさらに含んでもよく、従来技術を参照してもよい。
【０１３０】
図９に示すように、プロセッサ９０１は、コントローラ又は操作制御部とも称され、マイクロプロセッサ又は他の処理装置及び／又は論理装置を含んでもよく、プロセッサ９０１は入力を受け付け、ユーザ装置９００の各部の操作を制御する。
【０１３１】
ここで、メモリ９０２は、例えばバッファ、フラッシュメモリ、ハードディスク、移動可能な媒体、発揮性メモリ、不発揮性メモリ、又は他の適切な装置の１つ又は複数であってもよく、各種のデータ及び関連情報を実行するためのプログラムを記憶している。また、プロセッサ９０１は、メモリ９０２に記憶されたプログラムを実行し、情報の記憶又は処理などを実現してもよい。他の部材は従来技術に類似するため、ここでその説明が省略される。ユーザ装置９００の各部は、本発明の範囲から逸脱することなく、特定のハードウェア、ファームウェア、ソフトウェア又はその組み合わせによって実現されてもよい。
【０１３２】
本実施例のユーザ装置は、ネットワーク側により指示、或いは通知された情報に基づいてシステム情報を確認することで、現在のセルのシステム情報が記憶されている場合であってもＵＥが依然としてネットワーク側からシステム情報を取得することを回避することができ、ＵＥがシステム情報を取得するための消費電力を効果的に低減させることができる。
【０１３３】
＜実施例９＞
本発明の実施例は通信システムをさらに提供し、該通信システムは実施例７に記載のネットワーク装置及び実施例８に記載のユーザ装置を含む。
【０１３４】
該ネットワーク装置及び該ユーザ装置の詳細は実施例７及び実施例８で既に説明されているため、その内容がここで援用され、ここでその説明を省略する。
【０１３５】
本発明の実施例は、システム情報の指示装置又はネットワーク装置においてプログラムを実行する際に、該システム情報の指示装置又はネットワーク装置に、実施例１又は実施例２に記載のシステム情報の指示方法を実行させる、コンピュータ読み取り可能なプログラムをさらに提供する。
【０１３６】
本発明の実施例は、システム情報の指示装置又はネットワーク装置に、実施例１又は実施例２に記載のシステム情報の指示方法を実行させるためのコンピュータ読み取り可能なプログラムを記憶する、記憶媒体をさらに提供する。
【０１３７】
本発明の実施例は、システム情報の指示装置又はユーザ装置においてプログラムを実行する際に、該システム情報の指示装置又はユーザ装置に、実施例３に記載のシステム情報の指示方法を実行させる、コンピュータ読み取り可能なプログラムをさらに提供する。
【０１３８】
本発明の実施例は、システム情報の指示装置又はユーザ装置に、実施例３に記載のシステム情報の指示方法を実行させるためのコンピュータ読み取り可能なプログラムを記憶する、記憶媒体をさらに提供する。
【０１３９】
＜実施例１０＞
現在、３ＧＰＰは、サービス品質（ＱｏＳ：Ｑｕａｌｉｔｙ  ｏｆ  Ｓｅｒｖｉｃｅ）フレームワークに関連する機能を処理するために、パケットデータコンバージェンスプロトコル（ＰＤＣＰ：Ｐａｃｋｅｔ  Ｄａｔａ  Ｃｏｎｖｅｒｇｅｎｃｅ  Ｐｒｏｔｏｃｏｌ）層の上に新たなプロトコル層は、例えばパケットデータアソシエーションプロトコル（ＰＤＡＰ：Ｐａｃｋｅｔ  Ｄａｔａ  Ａｓｓｏｃｉａｔｉｏｎ  Ｐｒｏｔｏｃｏｌ）層を追加することに既に同意した。図１０は該新たなプロトコル層の位置を示す図である。
【０１４０】
本発明の発明者の発見によると、該新たなプロトコル層は、上位層のネットワーク層プロトコルのデータパケット、例えばインターネットプロトコル（ＩＰ：Ｉｎｔｅｒｎｅｔ  Ｐｒｏｔｏｃｏｌ）層のデータパケットに新しいデータヘッダを追加する必要がある。本実施例では、下位層のＰＤＣＰプロトコルのネットワーク層データに対するヘッダ圧縮機能に影響を与えないために、新たなプロトコル層のデータヘッダは、新たなプロトコル層のデータパケットの末尾に配置されてもよく、即ちThe packet header of the new QoS framework layer above PDCP layer
shall be placed at the end of its packetとなる。
【０１４１】
本実施例の第１態様では、データ処理方法を提供し、図１１は該方法のフローチャートであり、図１１に示すように、該方法は以下のステップを含む。
【０１４２】
ステップ１１０１：データパケットにヘッダを追加し、該ヘッダが追加されたデータパケットをＰＤＣＰ層に引き渡す。該ヘッダは、該データパケットの所定位置に位置し、例えば先頭以外の他の位置に位置し、例えば末尾（最後）に位置する。
【０１４３】
本実施例は、データパケットの由来、該データパケットにヘッダを追加する方法、及びヘッダが追加されたデータパケットをＰＤＣＰ層に引き渡す方法に限定されない。
【０１４４】
本実施例では、該方法は、該新たなプロトコル層に実施される。
【０１４５】
本実施例では、上述したように、該新たなプロトコル層は、ＱｏＳフレームワークに関連する機能を処理するために用いられ、ＰＤＣＰ層の上に位置する。
【０１４６】
本実施例では、該データパケットは、例えば上位層からのＩＰパケットである。
【０１４７】
この方法によれば、該新たなプロトコル層のデータヘッダを該新たなプロトコル層のデータパケットの末尾に配置することで、下位層のＰＤＣＰプロトコルのネットワーク層データに対するヘッダ圧縮機能に影響を与えなくなる。
【０１４８】
本実施例の第２態様では、データ処理装置を提供し、該装置の実施原理は図１１の方法と同様であり、同様な内容について説明を省略する。
【０１４９】
図１２は該装置を示す図であり、図１２に示すように、該装置１２００は処理部１２０１を含む。
【０１５０】
処理部１２０１は、データパケットにヘッダを追加し、該ヘッダが追加されたデータパケットをＰＤＣＰ層に引き渡す。該ヘッダは、該データパケットの所定位置に位置し、例えば先頭以外の他の位置に位置し、例えば末尾に位置する。
【０１５１】
本実施例は、該処理部１２０１が該データパケットにヘッダを追加する方法に限定されない。
【０１５２】
本実施例では、該処理部１２０１は、該新たなプロトコル層において該処理を行う。
【０１５３】
本実施例では、上述したように、該新たなプロトコル層は、ＱｏＳフレームワークに関連する機能を処理するために用いられ、ＰＤＣＰ層の上に位置する。
【０１５４】
本実施例では、該装置１２００は受信部（図示せず）をさらに含んでもよく、該受信部は該データパケットを受信する。本実施例は、該データパケットの由来に限定されない。本実施例では、該データパケットは、例えば上位層からのＩＰパケットである。
【０１５５】
本実施例は、該装置１２００は送信部（図示せず）をさらに含んでもよく、該送信部は該ヘッダが追加されたデータパケットをＰＤＣＰ層に引き渡す。本実施例は、引き渡す方法に限定されない。
【０１５６】
この装置によれば、該新たなプロトコル層のデータヘッダを該新たなプロトコル層のデータパケットの末尾に配置することで、下位層のＰＤＣＰプロトコルのネットワーク層データに対するヘッダ圧縮機能に影響を与えなくなる。
【０１５７】
本実施例の第３態様では、ネットワーク装置を提供し、該ネットワーク装置は上記の第２態様に記載の装置を含んでもよく、該ネットワーク装置のシステム構造は図８と同様であってもよく、その各構成部の機能は上述したものであるが、本実施例はこれに限定されない。
【０１５８】
本実施例の第４態様では、ユーザ装置を提供し、該ユーザ装置は上記の第２態様に記載の装置を含んでもよく、該ユーザ装置のシステム構造は図９と同様であってもよく、その各構成部の機能は上述したものであるが、本実施例はこれに限定されない。
【０１５９】
本実施例の第５態様では、通信システムを提供し、該通信システムは上記の第３態様に記載のネットワーク装置と上記の第４態様に記載のユーザ装置とを含んでもよく、該通信システムの構造は図１と同様であってもよく、その各構成部の機能は上述したものであるが、本実施例はこれに限定されない。
【０１６０】
本発明の以上の装置及び方法は、ハードウェアにより実現されてもよく、ハードウェアとソフトウェアを結合して実現されてもよい。本発明はコンピュータが読み取り可能なプログラムに関し、該プログラムはロジック部により実行される時に、該ロジック部に上述した装置又は構成要件を実現させる、或いは該ロジック部に上述した各種の方法又はステップを実現させることができる。本発明は上記のプログラムを記憶するための記憶媒体、例えばハードディスク、磁気ディスク、光ディスク、ＤＶＤ、フラッシュメモリ等に関する。
【０１６１】
本発明の実施例を参照しながら説明した方法／装置は、ハードウェア、プロセッサにより実行されるソフトウェアモジュール、又は両者の組み合わせで実施されてもよい。例えば、図５〜図７に示す機能的ブロック図における１つ若しくは複数、又は機能的ブロック図の１つ若しくは複数の組み合わせは、コンピュータプログラムフローの各ソフトウェアモジュールに対応してもよいし、各ハードウェアモジュールに対応してもよい。これらのソフトウェアモジュールは、図２〜４に示す各ステップにそれぞれ対応してもよい。これらのハードウェアモジュールは、例えばフィールド・プログラマブル・ゲートアレイ（ＦＰＧＡ）を用いてこれらのソフトウェアモジュールをハードウェア化して実現されてもよい。
【０１６２】
ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、モバイルハードディスク、ＣＤ−ＲＯＭ又は当業者にとって既知の任意の他の形の記憶媒体に位置してもよい。プロセッサが記憶媒体から情報を読み取ったり、記憶媒体に情報を書き込むように該記憶媒体をプロセッサに接続してもよいし、記憶媒体がプロセッサの構成部であってもよい。プロセッサ及び記憶媒体はＡＳＩＣに位置してもよい。該ソフトウェアモジュールは移動端末のメモリに記憶されてもよいし、移動端末に挿入されたメモリカードに記憶されてもよい。例えば、機器（例えば移動端末）が比較的に大きい容量のＭＥＧＡ−ＳＩＭカード又は大容量のフラッシュメモリ装置を用いる場合、該ソフトウェアモジュールは該ＭＥＧＡ−ＳＩＭカード又は大容量のフラッシュメモリ装置に記憶されてもよい。
【０１６３】
図面に記載されている機能的ブロック図における一つ以上の機能ブロックおよび/または機能ブロックの一つ以上の組合せは、本願に記載されている機能を実行するための汎用プロセッサ、デジタル信号プロセッサ（ＤＳＰ）、特定用途向け集積回路（ＡＳＩＣ）、フィールド・プログラマブル・ゲートアレイ（ＦＰＧＡ）又は他のプログラマブル論理デバイス、ディスクリートゲートまたはトランジスタ論理装置、ディスクリートハードウェアコンポーネント、またはそれらの任意の適切な組み合わせで実現されてもよい。図面に記載されている機能的ブロック図における一つ以上の機能ブロックおよび/または機能ブロックの一つ以上の組合せは、例えば、コンピューティング機器の組み合わせ、例えばＤＳＰとマイクロプロセッサの組み合わせ、複数のマイクロプロセッサの組み合わせ、ＤＳＰ通信と組み合わせた１つ又は複数のマイクロプロセッサ又は他の任意の構成で実現されてもよい。
【０１６４】
以上、具体的な実施形態を参照しながら本発明を説明しているが、上記の説明は、例示的なものに過ぎず、本発明の保護の範囲を限定するものではない。本発明の趣旨及び原理を離脱しない限り、本発明に対して各種の変形及び変更を行ってもよく、これらの変形及び変更も本発明の範囲内のものである。
【０１６５】
また、上述の実施例を含む実施形態に関し、更に以下の付記を開示する。
（付記１）
データ処理方法であって、
データパケットにヘッダを追加し、前記ヘッダが追加されたデータパケットをＰＤＣＰ層に引き渡すステップ、を含み、
前記ヘッダは、前記データパケットの所定位置に位置する、方法。
（付記２）
前記ヘッダは、前記データパケットの先頭以外の他の位置に位置する、付記１に記載の方法。
（付記３）
前記ヘッダは、前記データパケットの末尾に位置する、付記１に記載の方法。
（付記４）
前記方法は、ＰＤＣＰ層の上に位置するプロトコル層において実施される、付記１に記載の方法。
（付記５）
前記プロトコル層は、ＱｏＳフレームワークに関連する機能を処理するために用いられる、付記４に記載の方法。
（付記６）
データ処理装置であって、
データパケットにヘッダを追加し、前記ヘッダが追加されたデータパケットをＰＤＣＰ層に引き渡す処理手段、を含み、
前記ヘッダは、前記データパケットの所定位置に位置する、装置。
（付記７）
前記ヘッダは、前記データパケットの先頭以外の他の位置に位置する、付記６に記載の装置。
（付記８）
前記ヘッダは、前記データパケットの末尾に位置する、付記６に記載の装置。
（付記９）
前記処理手段は、ＰＤＣＰ層の上に位置するプロトコル層において前記処理を行う、付記６に記載の装置。
（付記１０）
前記プロトコル層は、ＱｏＳフレームワークに関連する機能を処理するために用いられる、付記９に記載の装置。
【図１】
2020511841.tif 000003
【図２】
2020511841.tif 000004
【図３】
2020511841.tif 000005
【図４】
2020511841.tif 000006
【図５】
2020511841.tif 000007
【図６】
2020511841.tif 000008
【図７】
2020511841.tif 000009
【図８】
2020511841.tif 000010
【図９】
2020511841.tif 000011
【図１０】
2020511841.tif 000012
【図１１】
2020511841.tif 000013
【図１２】
2020511841.tif 000014
【手続補正書】
【提出日】令和1年10月1日(2019.10.1)
【手続補正１】
【補正対象書類名】明細書
【補正対象項目名】０１６５
【補正方法】変更
【補正の内容】
【０１６５】
また、上述の実施例を含む実施形態に関し、更に以下の付記を開示する。
（付記１）
データ処理方法であって、
第１データパケットにヘッダを追加して第２データパケットを取得し、前記ヘッダが追加された第２データパケットをＰＤＣＰ層に引き渡すステップ、を含み、
前記ヘッダは、前記第２データパケットの所定位置に位置する、方法。
（付記２）
前記ヘッダは、前記第２データパケットの先頭以外の他の位置に位置する、付記１に記載の方法。
（付記３）
前記ヘッダは、前記第２データパケットの末尾に位置する、付記１に記載の方法。
（付記４）
前記データ処理方法は、ＰＤＣＰ層の上に位置するプロトコル層において実施される、付記１に記載の方法。
（付記５）
前記プロトコル層は、ＱｏＳフレームワークに関連する機能を処理するために用いられる、付記４に記載の方法。
（付記６）
データ処理装置であって、
第１データパケットにヘッダを追加して第２データパケットを取得し、前記ヘッダが追加された第２データパケットをＰＤＣＰ層に引き渡す処理手段、を含み、
前記ヘッダは、前記第２データパケットの所定位置に位置する、装置。
（付記７）
前記ヘッダは、前記第２データパケットの先頭以外の他の位置に位置する、付記６に記載の装置。
（付記８）
前記ヘッダは、前記第２データパケットの末尾に位置する、付記６に記載の装置。
（付記９）
前記処理手段は、ＰＤＣＰ層の上に位置するプロトコル層において前記処理を行う、付記６に記載の装置。
（付記１０）
前記プロトコル層は、ＱｏＳフレームワークに関連する機能を処理するために用いられる、付記９に記載の装置。
【国際調査報告】
2020511841.tif 000015
2020511841.tif 000016
2020511841.tif 000017
2020511841.tif 000018